(57)【要約】【課題】室内吸込温度を確実に検出することができる空気調和機の室内ユニットを提供すること。【解決手段】本発明の空気調和機の室内ユニットは、冷媒と室内空気とを熱交換する室内熱交換器６と、室内へ送風する室内ファンとを備え、室内熱交換器６を通過する前の空気の温度を検出する室内吸込温度検出手段１４を室内熱交換器の側方に配置したことにより、室内熱交換器６の輻射熱の影響を受けにくくなり、正確な室内温度を検出することができる。【選択図】図２
2012189288.tif 000002
【特許請求の範囲】
【請求項１】
冷媒と室内空気とを熱交換する室内熱交換器と、室内へ送風する室内ファンとを備え、前記室内熱交換器を通過する前の空気の温度を検出する室内吸込温度検出手段を前記室内熱交換器の側方に配置したことを特徴とする空気調和機の室内ユニット。
【請求項２】
前記室内熱交換器の側方、かつ前記室内熱交換器の最下端部よりも下方に前記室内吸込温度検出手段を配置したことを特徴とする請求項１に記載の空気調和機の室内ユニット。
【請求項３】
リモコン受光部を有する制御基板を備え、前記室内吸込温度検出手段を前記制御基板に一体的に形成したことを特徴とする請求項１または２に記載の空気調和機の室内ユニット。
【発明の詳細な説明】
【技術分野】
【０００１】
本発明は、壁掛け用の空気調和機の室内ユニットに関するものである。
【背景技術】
【０００２】
従来、この種の空気調和機の室内ユニットを複数台並列に接続して複数の部屋の空調を行うことができる多室形空気調和機がある。このような多室形空気調和機は、壁掛け用の複数台の室内機と、１台の室外機とで構成され、この各室内機の筐体内に冷媒の流量を調整するための室内膨張弁を収納し、各室内機で冷暖房運転を個別に操作し得るようにしている（例えば、特許文献１参照）。
【先行技術文献】
【特許文献】
【０００３】
【特許文献１】特開２００３−３３６８５７号公報
【発明の概要】
【発明が解決しようとする課題】
【０００４】
しかしながら、前記従来の空気調和機の室内ユニットでは、室内吸込温度センサが、室内熱交換器近傍の風上部に設置されているため、室内吸込温度センサは室内熱交換器の輻射熱の影響を受けてしまう。
【０００５】
また、多室形空気調和機の場合、複数台の室内機が同時に暖房運転している時、ある一台の室内ユニットの運転が、室内温度が設定温度に達してサーモオフ状態となった場合、他の室内ユニットの運転が継続されていると、サーモオフ状態となっている室内ユニットの室内熱交換器にも高温冷媒が流れ込んでしまい、室内吸込温度センサが室内熱交換器の輻射熱の影響を受けて、実際の室内温度とはかけ離れた温度を検出してしまう。
【０００６】
そのため、室内吸込温度センサでは正確な室内温度を検出できず、空調運転に影響を及ぼしてしまうという課題を有していた。
【０００７】
本発明は、前記従来の課題を解決するもので、室内吸込温度を確実に検出することができる空気調和機の室内ユニットを提供することを目的とする。
【課題を解決するための手段】
【０００８】
前記従来の課題を解決するために、本発明の空気調和機の室内ユニットは、冷媒と室内空気とを熱交換する室内熱交換器と、室内へ送風する室内ファンとを備え、室内熱交換器を通過する前の空気の温度を検出する室内吸込温度検出手段を室内熱交換器の側方に配置したことにより、室内熱交換器の輻射熱の影響を受けにくくなり、正確な室内温度を検出することができる。
【発明の効果】
【０００９】
本発明は、室内吸込温度を確実に検出することができる空気調和機の室内ユニットを提供することができる。
【図面の簡単な説明】
【００１０】
【図１】本発明の実施の形態１における空気調和機の室内ユニットの正面図
【図２】同実施の形態１における空気調和機の室内ユニットの内部正面図
【図３】本発明の実施の形態２における空気調和機の室内ユニットの側面図
【図４】同実施の形態２における空気調和機の要部正面図
【発明を実施するための形態】
【００１１】
第１の発明の空気調和機の室内ユニットは、冷媒と室内空気とを熱交換する室内熱交換器と、室内へ送風する室内ファンとを備え、室内熱交換器を通過する前の空気の温度を検出する室内吸込温度検出手段を室内熱交換器の側方に配置したことにより、室内熱交換器の正面投影面上から室内吸込温度検出手段が外れたことにより、室内熱交換器の輻射熱の影響を受けにくくなり、正確な室内温度を検出することができる。
【００１２】
第２の発明の空気調和機の室内ユニットは、特に第１の発明において、室内熱交換器の側方、かつ室内熱交換器の最下端部よりも下方に室内吸込温度検出手段を配置したことにより、暖かい空気は上方へ昇る性質があるため、より室内吸込温度検出手段で正確に検出することができる。
【００１３】
第３の発明の空気調和機の室内ユニットは、特に第１または第２の発明において、リモコン受光部を有する制御基板を備え、室内吸込温度検出手段を制御基板に一体的に形成したことにより、引き回しのリード線や、室内吸込温度検出手段の固定部品が不要となりコスト的にも安く構成することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における空気調和機の室内ユニットの外観正面図であり、図２は、本発明の実施の形態１における空気調和機の室内ユニットの内部正面図である。
【００１６】
図２において、多室形空気調和機の室内ユニット１６には、室内熱交換器６の側方に室内制御機１５を配置し、室内制御機１５とは反対側の側方に室内膨張弁２１を配置している。室内膨張弁２１は、サイレンサー２６を備えて膨張弁ブロックを構成し、膨張弁ブロックとして室内熱交換器６に固定されている。
【００１７】
また、室内ファン（図示せず）は、室内熱交換器６よりもさらに内方にあり、室内ファンが駆動することによって、室内熱交換器６へ室内空気が導かれ、室内熱交換器６で熱交換した後、室内へ吹き出される。
【００１８】
ここで室内ユニットの内部は、室内熱交換器６が配置されているＢ部分と、室内熱交換器６の側方のＡ部分とに分けて考えることができる。
【００１９】
本実施の形態では、室内熱交換器６の両端部分の長さＢ部よりも、外側のＡ部分に室内吸込温度検出手段である温度センサ１４が配置されている。このように構成することによって、多室形空気調和機の複数の室内ユニットがある場合でサーモオフ状態で、室内熱交換器６に高温冷媒が流れたとしても、室内熱交換器６から輻射熱の影響を最小限にとどめることができるため、正確に室内温度を検出することができ、ひいては快適性を損なうことなく空調運転を継続することができる。
【００２０】
（実施の形態２）
図３は、本発明の実施の形態２における空気調和機の室内ユニットの側面図であり、図４は、本発明の実施の形態２における要部正面図である。
【００２１】
本実施の形態２には、室内吸込温度検出手段である温度センサ２９を、室内熱交換器６の側方、かつ、室内熱交換器６の最下端部よりも下方へ配置したものである。すなわち、図３に示すように、室内熱交換器６の最下端部であるＣラインよりも、下方側へ温度センサ２９を配置することによって、室内熱交換器６からの輻射熱をさらに防ぐことができる。
【００２２】
さらに、図３、図４に示すように、リモコン等の受光部を有する制御基板２７に一体的に温度センサ２９を設けている。なお制御基板２７は受光部でなく、ＬＥＤ等を有する表示基板等であってもよい。
【００２３】
このように構成することによって、ユーザーが制御基板２７を触る可能性を低減することができるため、温度センサ２９を保護することができつつ、さらに、制御基板と一体的に形成することによって、引き回しのリード線や、室内吸込温度検出手段の固定部品が不要となりコスト的にも安く構成することができる。
【産業上の利用可能性】
【００２４】
以上のように本発明は、多室形空気調和機の室内ユニットだけではなく、１対１の室内ユニットの構成についても適用することができる。
【符号の説明】
【００２５】
６  室内熱交換器
１４  温度センサ
１５  室内制御機
１６  室内ユニット
２１  室内膨張弁
２６  サイレンサー
２７  制御基板
２９  温度センサ
【図１】
2012189288.tif 000003
【図２】
2012189288.tif 000004
【図３】
2012189288.tif 000005
【図４】
2012189288.tif 000006